(57)【要約】【課題】還元処理コストを抑えつつ、還元反応を進めることができる燃料電池還元装置および燃料電池還元方法を提供することを目的とする。【解決手段】燃料電池還元装置は、酸化触媒能を有する空気極を有する燃料電池セル１０５を備えたセルスタック１０１の燃料極側に、還元剤を含む第１流体を供給する燃料極側流体供給経路３と、セルスタック１０１の空気極側に、セルスタック１０１の空気極側の面に向けて酸化剤を含む第２流体を供給する空気極側流体供給経路４と、空気極側流体供給経路４内に、酸化剤を含む流体を送り出す酸化剤送出部と、空気極側流体供給経路４内に送り出された酸化剤を含む流体を予熱する予熱部と、空気極側流体供給経路４内に送り出された酸化剤を含む流体に、可燃限界濃度以下の可燃性燃料を含む流体を添加する燃料添加部と、を備えている。【選択図】図３
2015103300.tif 000002
【特許請求の範囲】
【請求項１】
燃料極と、固体電解質と、酸化触媒能を有する空気極とが積層して形成された燃料電池セルを複数備えたセルスタックを還元処理する燃料電池還元装置であって、
複数の前記セルスタックを収容する収容室と、
前記収容室に収容された前記セルスタックの燃料極側に、還元剤を含む第１流体を供給する燃料極側流体供給経路と、
前記収容室に収容された前記セルスタックの空気極側に、前記セルスタックの空気極側の面に向けて酸化剤を含む第２流体を供給する空気極側流体供給経路と、
前記空気極側流体供給経路内に、酸化剤を含む流体を送り出す酸化剤送出部と、
前記空気極側流体供給経路内に送り出された酸化剤を含む流体を予熱する予熱部と、
前記空気極側流体供給経路内に送り出された酸化剤を含む流体に、可燃限界濃度以下の可燃性燃料を含む流体を添加する燃料添加部と、
を備えている燃料電池還元装置。
【請求項２】
前記燃料添加部が、
前記燃料電池セルの温度を計測する計測手段と、
前記可燃性燃料を含む流体の添加量を調節し、前記燃料電池セルの温度を制御する制御部を備えている請求項１に記載の燃料電池還元装置。
【請求項３】
前記空気極側流体供給経路から供給される第２流体の流れ方向に対して、複数の前記セルスタックが、それぞれ位置をずらして配置されるよう、前記複数のセルスタックを支持する支持部を備えている請求項１または請求項２に記載の燃料電池還元装置。
【請求項４】
燃料極と、固体電解質と、酸化触媒能を有する空気極とが積層して形成された燃料電池セルを複数備えたセルスタックの空気極側に、予熱した酸化剤を含む流体を供給し、前記燃料電池セルを昇温させる第１昇温工程と、
前記セルスタックの空気極側に、前記セルスタックの空気極側の面に向けて、可燃限界濃度以下の可燃性燃料を含む流体が添加された酸化剤を含む流体を供給し、前記可燃性燃料を触媒燃焼させて前記燃料電池セルを昇温させる第２昇温工程と、
前記セルスタックの燃料極側に、還元剤を含む流体を供給する還元工程と、
を備えている燃料電池還元方法。
【請求項５】
前記燃料電池セルの温度を計測する工程と、
前記可燃性燃料を含む流体の添加量を調節し、前記燃料電池セルの温度を制御する温度制御工程と、
を備えている請求項４に記載の燃料電池還元方法。
【請求項６】
前記温度制御工程が、
前記燃料電池セルの温度が７００℃に達するまで、前記酸化剤を含む流体に、可燃限界濃度の可燃性燃料を含む流体を添加する第１制御工程と、
第１制御工程の後、前記燃料電池セルの温度が９００℃を超えないよう前記可燃性燃料を含む流体の添加量を調節する第２制御工程と、
第２制御工程の後、前記燃料電池セルの温度が７００℃以上９００℃以下を維持するよう前記可燃性燃料の添加量を調節する第３制御工程と、
を含む請求項５に記載の燃料電池還元方法。
【請求項７】
前記可燃性燃料を含む流体が、メタンを主成分とするガスまたは水素ガスであり、
前記可燃限界濃度が、３体積％である請求項４乃至請求項６のいずれかに記載の燃料電池還元方法。
【発明の詳細な説明】
【技術分野】
【０００１】
本発明は、燃料電池還元装置および燃料電池還元方法に関するものである。
【背景技術】
【０００２】
燃料電池の１つとして、固体電解質型燃料電池（Ｓｏｌｉｄ  Ｏｘｉｄｅ  Ｆｕｅｌ  Ｃｅｌｌ：ＳＯＦＣ）が知られている。ＳＯＦＣは、固体電解質とその両面に形成された燃料極、および空気極から構成される燃料電池セルを有している。ＳＯＦＣは、燃料極に燃料ガスを供給するとともに、空気極に酸化剤ガスを供給し、燃料ガスに含まれる燃料と酸化剤ガスに含まれる酸素とを固体電解質を介して化学反応させることによって電力を発生させるものである（例えば、特許文献１〜４）。
【０００３】
ＳＯＦＣの燃料電池セルは、焼成によって形成される。燃料電池セルの焼成は電気炉又はガス炉で行われている。燃料電池セルの材料にはＮｉが使用されている。該Ｎｉは、焼成後、燃料電池セル中にＮｉＯとして存在する。ＮｉＯの状態では、ＳＯＦＣは発電できない。ＳＯＦＣを発電可能な状態とするには、ＮｉＯをＮｉに還元する必要がある。
【０００４】
従来、ＮｉＯの還元は、燃料電池セルを高温状態とし、燃料極側にＨ２を通気して行われている。還元処理装置において、還元処理室を構成する一部の部品に、金属材料が用いられている。金属材料からなる部品が高温になりすぎると、構造強度上問題となり、また、酸化して寿命が短くなる。そのため、ＮｉＯを還元する際には、金属材料からなる部品部分の温度を抑えつつ、燃料電池セルを高温状態としなくてはならない。高温状態とは、例えば、燃料電池セル両端部が６００℃、発電部が７００℃から９００℃を指す。
【先行技術文献】
【特許文献】
【０００５】
【特許文献１】特開２００４−１１９２９８号公報
【特許文献２】特開２００８−２１５９７号公報
【特許文献３】特開平９−７０５４０号公報
【特許文献４】特開２０１２−５９５０５号公報
【発明の概要】
【発明が解決しようとする課題】
【０００６】
燃料電池セルを高温にする方法として、燃料電池セルの焼成時と同様にガス炉を使用できるとよい。しかしながら、ガス炉を使用した場合には、燃料電池セルを部分的に高温とすることは難しく、還元処理室およびＳＯＦＣ全体が高温となる。そのため、ガス炉は使用できない。
【０００７】
燃料電池セルを高温にする別の方法として、電気ヒータを用いて燃料電池セルを部分的に加熱する方法がある。
【０００８】
しかしながら、電気ヒータを用いた場合には、量産時に電気代が大きくなることが懸念される。
【０００９】
本発明は、このような事情に鑑みてなされたものであって、還元処理コストを抑えつつ、還元反応を進めることができる燃料電池還元装置および燃料電池還元方法を提供することを目的とする。
【課題を解決するための手段】
【００１０】
上記課題を解決するために、本発明の燃料電池還元装置および燃料電池還元方法は以下の手段を採用する。
本発明は、燃料極と、固体電解質と、酸化触媒能を有する空気極とが積層して形成された燃料電池セルを複数備えたセルスタックを還元処理する燃料電池還元装置であって、複数の前記セルスタックを収容する収容室と、前記収容室に収容された前記セルスタックの燃料極側に、還元剤を含む第１流体を供給する燃料極側流体供給経路と、前記収容室に収容された前記セルスタックの空気極側に、前記セルスタックの空気極側の面に向けて酸化剤を含む第２流体を供給する空気極側流体供給経路と、前記空気極側流体供給経路内に、酸化剤を含む流体を送り出す酸化剤送出部と、前記空気極側流体供給経路内に送り出された酸化剤を含む流体を予熱する予熱部と、前記空気極側流体供給経路内に送り出された酸化剤を含む第２流体に、可燃限界濃度以下の可燃性燃料を含む流体を添加する燃料添加部と、を備えている燃料電池還元装置を提供する。
【００１１】
可燃性燃料は、空気極に含まれる酸化触媒によって触媒燃焼され得る。触媒燃焼とは、触媒表面における接触酸化反応を利用した無炎燃焼法である。該無炎燃焼法は、可燃限界濃度以下の希薄燃料の完全酸化を、比較的低温で安定に進行させることができる。
【００１２】
可燃限界濃度以下の希薄燃料がセルスタックの空気極側に供給されると、可燃性燃料は、空気極の表面のみで触媒燃焼する。燃焼時に発生する熱により、燃料電池セルを昇温させることができる。通常の火炎燃焼では、可燃限界濃度以下の希薄燃料が自着火することはない。したがって、セルスタックの燃料電池セルを備えていない部分では、燃焼による熱は生じない。本発明によれば、電気ヒータなどの外部高温熱源を使用せずに、燃料電池セルを限定的に昇温させることができる。外部高温熱源を使用したとしても、補助的に用いる程度で済むため、電気代を節約できる。
【００１３】
酸化触媒は、空気極に含まれる成分である。燃料電池セルに新たな構成を追加する必要がないため、触媒燃焼を利用した昇温は、大型の燃料電池還元装置設計における昇温手段として好適である。
【００１４】
触媒燃焼により高温となった燃料電池セルでは、還元剤が燃料電池セルに含まれる酸化物と反応し、該酸化物を還元できる。
【００１５】
特許文献４では、セルスタックの一端部側から、燃料電池セルの空気極側の面に沿う方向に可燃性燃料を含む流体を供給している。特許文献４に記載の方法では、セルスタックの下部の温度が上部よりも高くなり、軸方向に温度分布が生じる。温度の高いセルスタックの下部から還元させると、後発の上部が還元したときに、下部で燃料欠乏が起こる。
【００１６】
本発明において、可燃性燃料を含む流体は、燃料電池セルの空気極側の面に向けて供給される。それにより、セルスタックの軸方向における温度分布の偏りの発生を抑制できる。温度分布をつけないようにすることで、未反応のＮｉＯが残留しないようにできる。
【００１７】
空気極に含まれる酸化触媒は、所定温度域で触媒として作用する。予熱した酸化剤を含む第２流体を、セルスタックの空気極側に供給することで、燃料電池セルの温度を、触媒燃焼可能な温度域まで上昇させることができる。
【００１８】
上記発明の一態様において、前記燃料添加部が、前記燃料電池セルの温度を計測する計測手段と、前記可燃性燃料を含む流体の添加量を調節し、前記燃料電池セルの温度を制御する制御部を備えていることが好ましい。
【００１９】
燃料電池セルの温度を高くしすぎることは、燃料電池セルを損傷させる恐れがあるため好ましくない。一方、燃料電池セルの温度を低くしすぎることは、還元反応を遅延させる恐れがあるため好ましくない。上記発明の一態様によれば、可燃性燃料を含む流体の添加量を調節して、触媒燃焼により発生する熱量を変化させることで、セルスタックの還元処理に適した温度環境を維持できる。
【００２０】
上記発明の一態様において、前記空気極側流体供給経路から供給される第２流体の流れ方向に対して、複数の前記セルスタックが、それぞれ位置をずらして配置されるよう、前記複数のセルスタックを支持する支持部を備えていることが好ましい。
【００２１】
第２流体は、収容室内に収容されたすべてのセルスタックの燃料電池セルに、偏りなく供給されることが望ましい。上記発明の一態様によれば、セルスタックの位置をずらして配置することで、収容された位置によらず、バランスよく複数のセルスタックを還元処理することができる。
【００２２】
本発明は、燃料極と、固体電解質と、酸化触媒能を有する空気極とが積層して形成された燃料電池セルを複数備えたセルスタックの空気極側に、予熱した酸化剤を含む流体を供給し、前記燃料電池セルを昇温させる第１昇温工程と、前記セルスタックの空気極側に、前記セルスタックの空気極側の面に向けて、可燃限界濃度以下の可燃性燃料を含む流体が添加された酸化剤を含む流体を供給し、前記可燃性燃料を触媒燃焼させて前記燃料電池セルを昇温させる第２昇温工程と、前記セルスタックの燃料極側に、還元剤を含む流体を供給する還元工程と、を備えている燃料電池還元方法を提供する。
【００２３】
可燃限界濃度以下の希薄燃料がセルスタックの空気極側に供給されると、可燃性燃料は、空気極の表面のみで触媒燃焼する。燃焼時に発生する熱により、燃料電池セルを昇温させることができる。本発明によれば、電気ヒータなどの外部高温熱源を使用せずに、燃料電池セルを限定的に昇温させることができる。
【００２４】
酸化触媒は、空気極に含まれる成分である。燃料電池セルに新たな構成を追加する必要がないため、触媒燃焼を利用した昇温は、大型の燃料電池還元装置設計における昇温手段として好適である。
【００２５】
触媒燃焼により高温となった燃料電池セルでは、還元剤が燃料電池セルに含まれる酸化物と反応し、該酸化物を還元できる。
【００２６】
本発明において、可燃性燃料を含む流体は、燃料電池セルの空気極側の面に向けて供給される。それにより、セルスタックの軸方向における温度分布の偏りの発生を抑制できる。軸方向に温度分布をつけないようにすることで、未反応のＮｉＯが残留しないようにできる。
【００２７】
空気極に含まれる酸化触媒は、所定温度域で触媒として作用する。予熱した酸化剤を含む第２流体を、セルスタックの空気極側に供給することで、燃料電池セルの温度を、触媒燃焼可能な温度域まで上昇させることができる。
【００２８】
上記発明の一態様において、前記燃料電池セルの温度を計測する工程と、前記可燃性燃料を含む流体の添加量を調節し、前記燃料電池セルの温度を制御する温度制御工程と、を備えていることが好ましい。
【００２９】
上記発明の一態様において、前記温度制御工程が、前記燃料電池セルの温度が７００℃に達するまで、前記酸化剤を含む流体に、可燃限界濃度の可燃性燃料を含む流体を添加する第１制御工程と、第１制御工程の後、前記燃料電池セルの温度が９００℃を超えないよう前記可燃性燃料を含む流体の添加量を調節する第２制御工程と、第２制御工程の後、前記燃料電池セルの温度が７００℃以上９００℃以下を維持するよう前記可燃性燃料の添加量を調節する第３制御工程と、を含むことができる。
【００３０】
可燃性燃料の添加量を制御することで、セルスタックの還元処理に適した温度環境を維持することができる。
【００３１】
上記発明の一態様において、前記可燃性燃料を含む流体が、メタンを主成分とするガスまたは水素ガスであり、前記可燃限界濃度が、３体積％であってよい。
【００３２】
そのようにすることで、より安全に燃料電池セルを昇温させることができる。
【発明の効果】
【００３３】
本発明は、可燃性燃料を触媒反応させて燃料電池セルを昇温させることで、セルスタックの還元処理コストを抑制しつつ、還元反応を進めることができる。
【図面の簡単な説明】
【００３４】
【図１】還元処理されるセルスタックの一態様を示す部分拡大縦断面図である。
【図２】燃料電池還元装置の構成を説明する模式図である。
【図３】燃料電池還元装置の部分縦断面図である。
【図４】複数のセルスタックが収容された収容室の横断面図である。
【図５】本発明の一実施形態に係る燃料電池還元方法の工程を説明するタイミングチャートである。
【図６】ＮｉＯの還元工程を説明する模式図である。
【発明を実施するための形態】
【００３５】
本発明は、燃料極と、固体電解質と、酸化触媒能を有する空気極とが積層して形成された燃料電池セルを複数備えたセルスタックを還元処理するための燃料電池還元装置および燃料電池還元方法に関する。
【００３６】
以下に、本発明に係る燃料電池還元装置および燃料電池還元方法の一実施形態について、図面を参照して説明する。
【００３７】
以下においては、説明の便宜上、紙面を基準として「上」及び「下」の表現を用いて各構成要素の位置関係を特定するが、鉛直方向に対して必ずしもこの限りである必要はない。例えば、紙面における上方向が鉛直方向における下方向に対応してもよい。また、紙面における上下方向が鉛直方向に直行する水平方向に対応してもよい。
【００３８】
また、以下においては、固体酸化物形燃料電池（ＳＯＦＣ）のセルスタックとして円筒形を例として説明するが、必ずしもこの限りである必要はなく、例えば平板形のセルスタックであってもよい。
【００３９】
図１に、還元処理されるセルスタックの一態様を示す。
セルスタック１０１は、円筒形状の基体管１０３と、基体管１０３の外周面に複数形成された燃料電池セル１０５と、隣り合う燃料電池セル１０５の間に形成されたインターコネクタ１０７とを有する。燃料電池セル１０５は、燃料極１０９と固体電解質１１１と空気極１１３とが積層して形成されている。セルスタック１０１は、基体管１０３の外周面に形成された複数の燃料電池セル１０５の内、基体管１０３の軸方向において最も端に形成された燃料電池セル１０５の空気極１１３に、インターコネクタ１０７を介して電気的に接続されたリード膜１１５を有する。セルスタック１０１は、両端に被支持部位を有する。
【００４０】
基体管１０３は、多孔質材料からなり、例えば、ＣａＯ安定化ＺｒＯ２（ＣＳＺ）、又はＹ２Ｏ３安定化ＺｒＯ2（ＹＳＺ）、又はＭｇＡｌ２Ｏ４とされる。基体管１０３は、燃料電池セル１０５とインターコネクタ１０７とリード膜１１５とを支持する。基体管は、押し出し成形法により成形される。
【００４１】
燃料極１０９は、Ｎｉを含む材料から形成される。燃料極１０９は、Ｎｉとジルコニア系電解質材料との複合材の酸化物で構成され、例えば、Ｎｉ／ＹＳＺが用いられる。
【００４２】
固体電解質１１１は、ガスを通しにくい気密性と、高温で高い酸素イオン導電性とを有するＹＳＺが主として用いられる。
【００４３】
空気極１１３は、Ｌａ１−ｘＳｒｘＭｎＯ３で表される導電性ペロブスカイト型酸化物とジルコニア系電解質材料とを混合した材料で構成される。空気極１１３に含まれるＭｎは、酸化触媒として作用する。例えば、空気極は、ＬａＣａＭｎＯ３、ＳｍＳｒＭｎＯ３，ＳｍＣａＭｎＯ３、ＰｒＳｒＭｎＯ３、ＰｒＣａＭｎＯ３などとされる。
【００４４】
インターコネクタ１０７は、ＳｒＴｉＯ３系などのＭ１−ｘＬｘＴｉＯ３（Ｍはアルカリ土類金属元素、Ｌはランタノイド元素）で表される導電性ペロブスカイト型酸化物から構成され、燃料極側に供給されるガスと空気極側に供給されるガスとが混合しないように緻密な膜となっている。インターコネクタ１０７は、酸化雰囲気と還元雰囲気との両雰囲気下で安定した電気導電性を有する。インターコネクタ１０７は、隣り合う燃料電池セル１０５において、一方の燃料電池セル１０５の空気極１１３と他方の燃料電池セル１０５の燃料極１１１とを電気的に接続し、隣り合う燃料電池セル１０５同士を直列に接続するものである。
【００４５】
リード膜１１５は、電子伝導性を有すること、及びセルスタック１０１を構成する他の材料との熱膨張係数が近いことが必要であることから、Ｎｉ／ＹＳＺ等のＮｉとジルコニア系電解質材料との複合材で構成されている。このリード膜１１５は、インターコネクタにより直列に接続される複数の燃料電池セル１０５で発電された直流電力をセルスタック１０１の端部付近まで導出すものである。
【００４６】
燃料極１０９、固体電解質１１１、空気極１１３、インターコネクタ１０７およびリード膜１１５は、それぞれ材料となる粉末から作製したスラリーを適宜基体管１０３上に成膜し、焼成させることで形成される。
【００４７】
図２に、本実施形態に係る燃料電池還元装置の構成を説明する模式図を示す。図３に、燃料電池還元装置の部分縦断面図を示す。
燃料電池還元装置１は、収容室２、燃料極側流体供給経路３、空気極側流体供給経路４、燃料極側流体排出経路５、空気極側流体排出経路６、および支持部を備えている。
【００４８】
収容室２は、その内部に、複数のセルスタック１０１を収容できる。収容室２は、円筒形であることが好ましい。
収容室２は、断熱部材７を有する。断熱部材７は、断熱性を有する材料から形成されている。断熱部材７は、収容室内部を、セルスタック１０１の燃料電池セル１０５が配置される還元室８と、セルスタック１０１の被支持部９が配置される支持室１０と、に仕切る。還元室８と支持室１０とは、通気可能とされる。セルスタック１０１の被支持部９とは、セルスタック１０１の両端部に設けられた非発電部分とされる。
【００４９】
燃料極側供給経路３は、収容室２に収容されたセルスタック１０１の燃料極側に、還元剤を含む第１流体を供給できる。還元剤を含む第１流体は、Ｈ２ガス、Ｎ２ガス、水蒸気、または都市ガスの改質ガスなどとされる。還元剤を含む第１流体は、Ｈ２ガスとＮ２ガスと水蒸気とを組み合わせたものであってもよい。
【００５０】
燃料極側流体排出経路５は、セルスタック１０１の一端部から燃料極側に供給されて、セルスタック１０１の他端部側へ流れた第１流体を、収容室２の外部へと排出できる。燃料極側流体排出経路５は、収容室２の下部壁面を貫通している。燃料極側流体排出経路５と下部壁面との界面は、気密にシールされている。
【００５１】
空気極側流体供給経路４は、収容室２に収容されたセルスタック１０１の空気極側に、セルスタック１０１の空気極側の面に向けて、酸化剤を含む第２流体を供給できる。酸化剤を含む第２流体は、酸化剤を含む流体、または可燃限界濃度以下の可燃性燃料を含む流体が添加された酸化剤を含む流体とされる。
【００５２】
空気極側流体供給経路４は、複数の供給口１５を有する。供給口１５は、セルスタック１０１の外周面（空気極が設けられている面）に向いて開口している。本実施形態において、供給口１５は、収容室２の還元室８にある側壁面に設けられている。供給口１５の一部は、支持室１０にある側壁面に設けられている。複数の供給口１５は、収容室２に収容されたすべてのセルスタック１０１の燃料電池セル１０５に対して、偏りなく第２流体を供給できるよう配置されることが好ましい。例えば、供給口は、外径５ｍｍ、内径３ｍｍ程度の磁製管などとされる。隣り合う供給口の間隔は、２００ｍｍ以上３００ｍｍ以下程度とされるとよい。供給口は、円状に配置されることが好ましい。
【００５３】
空気極側流体供給経路４には、酸化剤送出部１１、燃料添加部１２、および予熱部（１３，１４）が接続されている。燃料添加部１２および予熱部（１３，１４）は、空気極側流体供給経路４の途中、酸化剤送出部１１と供給口１５との間に接続されている。本実施形態において予熱部（１３，１４）は、燃料添加部１２よりも下流側に接続されている。
【００５４】
酸化剤送出部１１は、収容室２に向けて酸化剤を含む流体を送り出すことができる。酸化剤送出部１１は、コンプレッサーなどとされる。送り出された酸化剤を含む流体は、第２流体のベースとなる。
【００５５】
燃料添加部１２は、酸化剤送出部１１の後段に位置している。燃料添加部１２は、収容室２に供給される前の酸化剤を含む流体に、可燃性限界濃度以下の可燃性燃料を含む流体を添加できる。燃料添加部１２は、可燃性燃料を含む流体の添加量を調節して、燃料電池セルの温度を制御する制御部（不図示）を備えていることが好ましい。その場合、燃料添加部１２は、燃料電池セルの温度を計測する計測手段を備えている。制御部は、計測手段で計測した燃料電池セルの温度に応じて、可燃性燃料を含む流体の添加量を調節できる。
【００５６】
予熱部（１３，１４）は、収容室２に供給される前に、酸化剤を含む第２流体の温度を４００℃〜６００℃程度に昇温させることができる。予熱部は、電気ヒータ１４、および熱交換器１３などとされる。予熱部は、電気ヒータ１４のみであってもよい。
【００５７】
空気極側流体排出経路６は、収容室内に供給された酸化剤を含む第２流体を収容室外へと排出できる。空気極側流体排出経路６は、側面に通気孔１６が設けられた管状部材などとされる。図３において、管状部材は、収容室２の下部壁面の中央部を貫通している。管状部材と下部壁面との界面は、気密にシールされている。通気孔１６は、還元室８内に配置されている。通気孔１６の一部は、支持室１０に配置されてもよい。
空気極側流体排出経路６は、熱交換器１３を経由させるとよい。
【００５８】
支持部は、収容室内において複数のセルスタック１０１を支持するものである。支持部は、インコネルなどの高温耐久性のある金属材料からなる。
【００５９】
各支持部は、複数のセルスタックが、空気極側流体供給経路６の供給口１５から供給される第２流体の流れ方向に対して、それぞれ位置をずらして配置されるよう、各セルスタックを支持できる。第２流体の流れ方向とは、供給口１５の開口面に対して垂直な方向とする。第２流体の流れ方向に対して位置をずらすとは、第２流体の流れ方向を線で表し、該線上に、２以上のセルスタックの軸点が載らないようにすることを指す。該線は、第２流体の流れうる範囲に延びるものとする。
【００６０】
図４を参照して、セルスタックの配置の一態様を説明する。図４は、複数のセルスタック１０１が収容された収容室２の横断面図である。同図において、収容室２は円筒形とされ、側壁が分割可能な構造とされる。線Ａは、分割ラインを示す。収容室２の側壁には、複数の供給口が設けられている（不図示）。収容室内の中央には、空気極側流体排出経路６が配置されている。収容室２の側壁と、空気極側流体排出経路６の管状部材とは、同心となるよう配置されている。
【００６１】
セルスタック１０１は、収容室２と空気極側流体排出経路６との間に、第１円および第２円を描くよう２列に並べられている。第２円は、第１円よりも径が小さい。第１円及び第２円は、収容室と同心とされる。第２円状に並べられるセルスタック１０１ｂは、第１円状に並べられたセルスタック１０１ａと半径方向で軸点がずれるように配置されている。
【００６２】
支持部は、セルスタック１０１の一端部を支持する上部支持具と、同セルスタックの他端部を支持する下部支持具とからなる一対の支持具を複数有している。一対の支持具は、一本のセルスタック１０１を、該セルスタック１０１の軸方向が収容室２の側壁面と略平行となるよう支持できる。
【００６３】
上部支持具は、流体が流通可能な中空構造とされる。上部支持具は、収容室２の上部壁面を貫通している。
【００６４】
上部支持具の一端部は、収容室２の外に位置する。上部支持具の一端部は、フランジ構造２６などとされ、収容室２の外で燃料極側流体供給経路３に接続されている。上部支持具の他端部は、収容室２の支持室１０内に位置する。上部支持具の他端部には、雌型支持部材１７が設けられている。雌型支持部材１７は、セルスタック１０１の一端部（被支持部９）に嵌合できる。上部支持具と上部壁面との界面は、気密にシールされている。
【００６５】
下部支持具は、流体が流通可能な中空構造とされる。下部支持具は、収容室２の支持室１０内に設けられている。下部支持具は、一端部に雌型支持部材１８を有する。下部支持具の他端部はフランジ構造１９などとされ、燃料極側流体排出経路５に接続されている。雌型支持部材１８は、セルスタック１０１の他端部（被支持部９）に嵌合できる。
【００６６】
収容室２の側壁面内側には、電気ヒータ２０が設けられていてもよい。該電気ヒータ２０は、補助的に収容室内をあたためることができる。
【００６７】
なお、本実施形態では、燃料極側流体供給経路４が収容室２の側壁面に、燃料極側流体排出経路５が収容室２の中央部に設けられることとしたが、これらは逆であってもよい。すなわち、燃料極側流体排出経路５が収容室２の側壁面に、燃料極側流体供給経路４が収容室２の中央部に設けられてもよい。
【００６８】
次に、本実施形態に係る燃料電池還元方法について、図５を参照して説明する。図５は、本実施形態に係る燃料電池還元方法の工程を説明するタイミングチャートである。同図において、上のグラフが燃料電池セルの温度履歴、下のグラフが可燃性燃料の添加量推移である。
【００６９】
本実施形態に係る燃料電池還元方法は、第１昇温工程、第２昇温工程、および還元工程を備えている。
【００７０】
まず、収容室に、複数のセルスタックを収容する。その際、燃料電池セルは、収容室の還元室内に配置される。具体的には、セルスタックの一端部に、上部支持具の雌型支持部材を嵌合させる。セルスタックの他端部に、下部支持具の雌型支持部材を嵌合させる。下部支持具を燃料極側流体排出経路に接続する。上部支持具に還元剤供給経路を接続する。
【００７１】
（第１昇温工程）
酸化剤を含む流体を４００℃〜６００℃程度に予熱する。予熱した酸化剤を含む流体を、収容室に収容されたセルスタックの空気極側に供給する。供給流量は、好ましくはセルスタック１本あたりの空気流量として０．２〜０．８Ｎｍ３／ｈとされる。
【００７２】
酸化剤を含む流体は、酸化剤ガスとされる。酸化剤ガスとは、酸素を略１５％〜３０％含むガスである。酸化剤ガスとしては、代表的には空気が好適であるが、空気以外にも燃料排ガスと空気の混合ガスや、酸素と空気の混合ガスなどが使用されてもよい。
【００７３】
予熱した酸化剤を含む流体を収容室に供給すると、収容室内の温度および燃料電池セルの温度が昇温され、４００℃以上となる。
【００７４】
（第２昇温工程）
燃料電池セルの温度が４００℃に達したところで、可燃性燃料を含む流体の添加を開始する。可燃性燃料を含む流体は、可燃限界濃度以下の量で酸化剤を含む流体に添加される。第２昇温工程では、可燃性燃料を含む流体の添加量は、可燃限界濃度とされることが好ましい。可燃性燃料を含む流体は、都市ガスなどのメタンを主成分とするガス、および水素ガスなどを使用できる。該可燃性燃料の可燃限界濃度は３体積％である。
【００７５】
セルスタックの空気極側に、可燃限界濃度以下の可燃性燃料を含む流体が添加された酸化剤を含む流体を、セルスタックの空気極側の面に向けて供給する。供給流量は、好ましくはセルスタック１本あたりの空気流量として０．２〜０．８Ｎｍ３／ｈとされる。
【００７６】
燃料電池セル温度が４００℃以上になると、空気極に含まれる酸化触媒が作用し、供給された可燃性燃料の触媒燃焼が開始される。触媒燃焼によって熱が生じ、燃料電池セルの温度は、さらに上昇する。
【００７７】
（還元工程）
第２昇温工程の後、燃料電池セルの温度が７００℃に達したとき、収容室に収容されたセルスタックの燃料極側への還元剤を含む流体の供給を開始する。還元剤を含む流体の供給流量は、セルスタック１本あたり０．５〜１．５Ｎｍ３／ｈとされる。
【００７８】
図６に、ＮｉＯの還元工程を説明する模式図を示す。同図において（ａ）が還元前、（ｂ）が還元初期、（ｃ）が還元後のイメージである。燃料電池セルの材料に含まれていたＮｉは、還元前、ＮｉＯとして燃料電池セルに存在している。セルスタックの燃料極側に還元剤を含む流体を供給すると、ＮｉＯと還元剤とが反応し、ＮｉＯは表層（外側）から還元されていく（ｂ）。還元反応に伴い生じる熱により燃料電池セルの温度は上昇する。還元初期には、ＮｉＯ表層のＮｉを通じて短絡電流（（ｂ）中横向き黒矢印）が発生する。その際に、熱が生じ、燃料電池セルの温度を昇温させる。そのため還元反応の初期において、燃料電池セルでの発熱量は大きい。還元工程完了時には、略すべてのＮｉＯがＮｉに還元されている。
【００７９】
本実施形態に係る燃料電池還元方法は、温度制御工程を備えていることが好ましい。
温度制御工程は、可燃性燃料を含む流体の添加量を調節して、燃料電池セルの温度を制御する。温度制御工程は、第１制御工程、第２制御工程、第３制御工程を備えている。
【００８０】
温度制御工程中は、燃料電池セルの温度を計測し、該計測した温度に応じて可燃性燃料を含む流体の添加量を調節するとよい。燃料電池セルの温度は、熱電対などで空気極の表面温度を測定した温度とする。代替的に、還元室内の空気温度を計測しても良い。
【００８１】
第１制御工程は、第２昇温工程と並行して行われる。すなわち、燃料電池セルの温度が７００℃に達するまで、酸化剤を含む流体に、可燃限界濃度の可燃性燃料を含む流体が添加し続ける。それにより、燃料電池セルの昇温時間を短くすることができる。
【００８２】
第２制御工程は、還元工程初期に行われる。セルスタックは、基体管の耐熱温度などの制限により、９００℃を超えない温度で還元処理することが好ましい。還元初期では、還元反応による発熱と、短絡電流の発生による発熱があるため、燃料電池セルでの発熱量は大きくなる。そこで、可燃性燃料を含む流体の添加量を減らし、燃料電池セルの温度が９００℃を超えないように制御する。酸化剤を含む流体への可燃性燃料の添加量を３体積％から１体積％程度に徐々に減少させる。
【００８３】
ＮｉＯの還元が進むと、短絡電流の発生が収まるため、発熱量が減少し、燃料電池セルの温度が低下し始める。燃料電池セルの温度が低くなりすぎると、還元反応が遅延するため、第３制御工程は、燃料電池セルの温度が下がり始めたところで行う。第３制御工程では、燃料電池セルの温度が７００℃以上９００℃以下を維持するよう可燃性燃料を含む流体の添加量を適宜調節する。可燃性燃料を含む流体の添加量は、酸化剤を含む流体に対して１体積％から適宜増加させるとよい。
【符号の説明】
【００８４】
１  燃料電池還元装置
２  収容室
３  燃料極側流体供給経路
４  空気極側流体供給経路
５  燃料極側流体排出経路
６  空気極側流体排出経路
７  断熱部材
８  還元室
９  被支持部（非発電部）
１０  支持室
１１  酸化剤送出部
１２  燃料添加部
１３  予熱器（熱交換器）
１４  予熱器（電気ヒータ）
１５  供給口
１６  通気孔
１７  雌型支持部材（上部支持具の他端部、支持部）
１８  雌型支持部材（下部支持具、支持部）
１９  フランジ構造（下部支持具、支持部）
２０  電気ヒータ（補助）
２６  フランジ構造（上部支持具の一端部、支持部）
１０１，１０１ａ，１０１ｂ  セルスタック
１０３  基体管
１０５  燃料電池セル
１０７  インターコネクタ
１０９  燃料極
１１１  固体電解質
１１３  空気極
【図１】
2015103300.tif 000003
【図２】
2015103300.tif 000004
【図３】
2015103300.tif 000005
【図４】
2015103300.tif 000006
【図５】
2015103300.tif 000007
【図６】
2015103300.tif 000008